(57)【要約】      （修正有）【課題】バッテリーを使用したソーラー自家発電装置を提供する。【解決手段】ソーラーからバッテリー２に充電して、そのバッテリー２からモーター駆動分電盤３を通じてインバーター４で直流を交流に変えて、交流モーター５に直結した交流発電機６を回転させ１００ボルト以上の電力を２４時間安定した電力を作る。モーター駆動分電盤３は時計と同じように歯車でアームを移動させることによって充電が少なくなったバッテリー２から満タンになったバッテリーの電気を使うことができる。順番にアームの移動によって２４時間電気を使用することができる。バッテリー２は、あらかじめ使用年数がわかるので寿命のくる前に新品に取り替える。【選択図】図２
2012249507.tif 000002
【特許請求の範囲】
【請求項１】
ソーラーからバッテリーに充電して、そのバッテリーからモーター駆動分電盤を通じてインバーターで直流を交流に変えて、交流モーターに直結した交流発電機を回転させ１００ボルト以上の電力を２４時間安定した電力を作ることができる。
【請求項２】
モーター駆動分電盤は時計と同じように歯車でアームを移動させることによって充電が少なくなったバッテリーから満タンになったバッテリーの電気を使うことができる。順番にアームの移動によって２４時間電気を使用することができる。
【請求項３】
モーター駆動分電盤は電気自動車に応用することができる。
【発明の詳細な説明】
【技術分野】
【０００１】  本発明は一般家庭が使用する電気をソーラーからバッテリーに充電しバッテリーからの電力で発電機を回転させ１００ボルト以上の電気を起こすことができる。
【背景技術】
【０００２】  従来の家庭の電気は電力会社から送られてくる電気を使用してきましたが本発明ではソーラーからバッテリーに充電して、それを電力として使用する。
【発明の概要】
【発明が解決しようとする課題】
【０００３】  図面１に示されているようにソーラー（１）からの直流の電気をバッテリー（２）に充電して、その電流を分電盤（３）に通じてインバーター（４）で直流を交流に変えて交流モーター（５）を回転し交流モーター（５）に直結した発電機（６）を回転させて電気を作ることができる。【０００４】  発電機（６）で起こした電流を（５４）のコンセントで使用する電源テレビ自動洗濯機等、各配線に通電する又分電盤の小型モーター図３−（１６）にも通電する。【０００５】  発電機（６）−５５コンセントで充電機（７）に通電してバッテリー（２）に充電をする。【０００６】  発電機（６）からの（５５）のコンセントからの充電とソーラーからの充電を合わせてバッテリーに充電することができる。【０００７】  交流モーター（５）の出力は４０００回転３０アンペア
【課題を解決するための手段】
【０００８】  バッテリーが放電する時間は８時間ぐらいなので２４時間放電するには２４ボルトのバッテリー３組が必要になる。【０００９】  ２４時間放電するためにはバッテリー全部に満タンにして順番に３回に分けて放電をする。【００１０】  図１のモーター駆動分電盤（３）が必要です。１２ボルトのバッテリー２箇所を１組として２４ボルトにし、それを３分割にしてモーター駆動分電盤（３）の歯車を回転させ３回に分けて８時間ずつに区切って、順番に通電する。【００１１】  ２４ボルトのバッテリー（２）が放電すると次の満タンに充電してある２４ボルトのバッテリー（２）に分電盤上のアーム（５２）が分電盤上の（４７）（４８）（４９）のスチールを移動して次の満タンになったバッテリーのスチールへと移動する移動したスチールからの電流がアーム（５２）からスチール（５３）に電流が通電してインバーターへと電流が流れる。【００１２】  インバーター（４）から交流モーター（５）へ通電される交流モーター（５）に直結された交流発電（６）が回転して電気を起こし家庭内の電気機器に通電する。
【発明の効果】
【００１３】  上述したように本発明のソーラー自家発電装置は公害を出さず現在まで家庭で使用しているのと同じ電気を使用することができる。
【図面の簡単な説明】
【００１４】
【図１】  ソーラーの平面図
【図２】  本発明実施形態を示すソーラー自家発電装置の断面図
【図３】  モーター駆動分電盤の断面図
【図４】  同モーター駆動分電盤の平面図
【図５】  モーター駆動分電盤の小型モーター断面図
【図６】  モーター駆動分電盤の凸型歯車を示した断面図
【図７】  モーター駆動分電盤の凸型歯車を示した断面図
【図８】  モーター駆動分電盤の穴開きベルトを示した平面図
【図９】  モーター駆動分電盤の正方形枠を示した断面図
【図１０】  モーター駆動分電盤の正方形枠を示した断面図
【図１１】  モーター駆動分電盤の最上部の電極スチール
【図１２】  モーター駆動分電盤の歯車軸受け
【図１３】  モーター駆動分電盤最上部３分割スチールの電極
【図１４】  モーター駆動分電盤スチールの電極の断面
【図１５】  モーター駆動分電盤の電線の端末
【図１６】  モーター駆動分電盤の上部アーム（５２）とスチール（５３）
【図１７】  モーター駆動分電盤のケーブル配線図
【００１５】  以下、本発明の実施形態を図１〜図１７に基づいて説明する。【００１６】  図においてはソーラー（１）を屋根に取り付けて、１２ボルトのバッテリー（２）を２箇所のバッテリー（２）を１組にして２４ボルトになったものを３組に分けて電源とする。【００１７】  モーター駆動分電盤（３）は４本柱（８，９，１０，１１）を正方形板（１２，１３，１４）にビスで止める。【００１８】  モーター駆動式分電盤の板（１２）の下から小型モーター（１５）の先端に螺旋形の歯車（１６）を取り付けそこから大中小の歯車１７個を組み合わせ取り付ける。それにより小型モーターの高速回転を減速にする。【００１９】  凸形歯車（１７）で穴開きベルト（１８）を回転させる。【００２０】  全部の歯車に軸受け（１９）とシャフトを取り付ける。【００２１】  中心軸（２０）の下にも軸受けを取り付ける。【００２２】  歯車の終着部分の三角の歯車（２３）と垂直に立った三角形の歯車のシャフトの先端歯車（２４）が大の歯車（２２）に接続させて大の歯車（２２）を回転させる。【００２３】  真中の板（１３）の上に４本柱（２５，２６，２７，２８）の中に正方形の枠（２９，３０，３１）を取り付ける。【００２４】  中心軸にベークライトのカム（３２，３３，３４）を取り付ける。【００２５】  最初にバッテリー（２）から電極（３７）に通電される。電極（４３）がカム（３４）の先端に押されて電極（３７）へスイッチされてスチール（４９）へ通電されるそこからアーム（５２）に接続されたケーブル（５３）からインバーター（４）へ通電される。【００２６】  ２番目にバッテリー（２）から電極（３５）に通電される。電極（４１）がカム（３２）の先端に押されて電極（３５）にスイッチされてスチール（４７）へ通電されるそこからアーム（５２）に接続されたケーブル（５３）からインバーター（４）へ通電される。【００２７】  ３番目バッテリー（２）から電極（３６）に通電される電極（４２）がカム（３３）の先端に押されて電極（３６）にスイッチされてスケール（４８）へ通電されるそこからアーム（５２）に接続されたケーブル（５３）からインバーター（４）へ通電する。【００２８】  スチール（４７，４８，４９）の裏側にボルト（５０）とナット（５１）を正方形板に取り付ける。そのボルト（５０）とナットの間にケーブル（４１，４２，４３）をつないだケーブル（４１）はスチール（４７）にケーブル（４２）はスチール（４８）にケーブル（４３）はスチール（４９）に接続される。【００２９】  インバーター（４）に流れた電流が直流から交流に変えられて電流を４０００回転の交流モーター（５）に直結された交流発電機（６）を回転させ１００ボルト以上の電気を起こしコンセント（５４）から取り出し電源として使用できる。コンセント（５５）充電器（７）に通電してバッテリーに２４時間充電する。【００３０】  ソーラーからの充電と充電器（７）からの充電によって２４時間バッテリーの充電と放電を繰り返し、電気を使用することができる。
【符号の説明】
【００３１】１  ソーラー                                      ５４  差し込み
２  バッテリー                                    ５５  差し込み
３  モーター駆動分電盤
４  インバーター
５  交流モーター
６  交流発電機
７  充電器
８、９、１０、１１  駆動分電盤の４本柱プラスチック
１２、１３、１４  正方形板鉄板
１５  小型駆動モーター
１６  螺旋形の歯車
１７  凸型歯車
１８  穴開きベルト
１９  歯車シャフトの軸受け
２０  中心軸プラスチック
２１  中心軸の軸受け
２２  大型歯車
２３−１  三角型の歯車
２３−２  三角型の歯車
２４  先端の歯車
２５、２６、２７、２８  真中の４柱プラスチック
２９、３０、３１  中心の正方形の枠プラスチック
３２、３３、３４  ベークライトカム
３５、３６、３７  バッテリーからの電極
３８、３９、４０  バッテリーからのケーブル銅板
４１、４２、４３  スチールへの電極銅板
４７、４８、４９  スチール
５０  スチールのボトル
５１  ナット
５２  アーム
５３  スチール
【図１】
2012249507.tif 000003
【図２】
2012249507.tif 000004
【図３】
2012249507.tif 000005
【図４】
2012249507.tif 000006
【図５】
2012249507.tif 000007
【図６】
2012249507.tif 000008
【図７】
2012249507.tif 000009
【図８】
2012249507.tif 000010
【図９】
2012249507.tif 000011
【図１０】
2012249507.tif 000012
【図１１】
2012249507.tif 000013
【図１２】
2012249507.tif 000014
【図１３】
2012249507.tif 000015
【図１４】
2012249507.tif 000016
【図１５】
2012249507.tif 000017
【図１６】
2012249507.tif 000018
【図１７】
2012249507.tif 000019